(57)【要約】      （修正有）【課題】軽量で運搬が容易であると共に、設置及び撤去も簡単であり、転倒しても危険のない簡易衝立システムを提供する。【解決手段】複数の衝立パネルを連結して自立させる簡易衝立システムであって、各衝立パネルは周囲枠２に布地３を展張してなると共に、周囲枠２の四辺のそれぞれには磁石４が設けられ、各衝立パネルの周囲枠２同士を磁力で互いに連結すると共にその連結角度を１８０度未満に保持することで自立を可能としている。【選択図】図２
0003217395.tif 000002
【実用新案登録請求の範囲】
【請求項１】
複数の衝立パネルを連結して自立させる簡易衝立システムであって、
各衝立パネルは周囲枠に布地を展張してなると共に、前記周囲枠の四辺のそれぞれには磁石が設けられ、
各衝立パネルの前記周囲枠同士を前記磁石の磁力で互いに連結すると共にその連結角度を１８０度未満に保持することで自立を可能とした簡易衝立システム。
【請求項２】
前記周囲枠は矩形状に形成された磁性体からなり、当該周囲枠の一部に磁石が固定されていることを特徴とする請求項１記載の簡易衝立システム。
【請求項３】
互いに連結された二枚の衝立パネルの間には、これら二枚の衝立パネルの連結角度の変化を抑制する補助連結プレートが設けられていることを特徴とする請求項２記載の簡易衝立システム。
【請求項４】
前記補助連結プレートは前記連結角度を中心角とする二等辺三角形の部材であって、三角形状に形成された周囲枠に布を展張してなることを特徴とする請求項３記載の簡易衝立システム。
【考案の詳細な説明】
【技術分野】
【０００１】
本考案は、室内空間を簡易的に区画する際に使用する簡易衝立システムに関する。
【背景技術】
【０００２】
広い室内空間を複数のスペースに区画して使用したい場合や、室内空間内で人の移動に何らかの規制を加えたい場合に、衝立を用いてスペースを区画し、人の動線を規制することが行われる。このような目的で使用される衝立としては、例えば、特許文献１に示されるように、各衝立が脚を備えて自立するタイプのものや、特許文献２に示されるように、複数枚の衝立を１８０度未満の角度で連結することによって自立させるタイプのものが知られている。
【先行技術文献】
【特許文献】
【０００３】
【特許文献１】実用新案登録第３１６１０９２号
【特許文献２】実用新案登録第３１５８６４４号
【考案の概要】
【考案が解決しようとする課題】
【０００４】
例えば幼稚園や保育園等では、簡単に設置して室内空間を簡易的に仕切ることができると共に、簡単に片づけることができ、しかも児童が接触しても危険のない間仕切りが必要とされていた。
【課題を解決するための手段】
【０００５】
本考案はこのような問題点に鑑みなされたものであり、その目的とするところは、軽量で運搬が容易であると共に、設置及び撤去も簡単であり、転倒しても危険のない簡易衝立システムを提供することにある。
【０００６】
すなわち、本考案は、複数の衝立パネルを連結して自立させる簡易衝立システムであって、各衝立パネルは周囲枠に布地を展張してなると共に、前記周囲枠の四辺のそれぞれには磁石が設けられ、各衝立パネルの前記周囲枠同士を磁力で互いに連結すると共にその連結角度を１８０度未満に保持することで自立を可能としたものである。
【０００７】
このような本考案の簡易衝立システムにおいては、個々の衝立パネルは周囲枠に布を展張して形成されているので、非常に軽量に製作することができ、女性や子供であっても運搬が容易であると共に、設置や撤去を簡便に行うことが可能である。また、各衝立パネルの周囲枠には磁石が設けられているので、二枚の衝立パネルを容易に連結することができ、その連結角度も自由に変えることが可能である。これにより、二枚の衝立パネルを１８０度未満で連結した際に、これら衝立パネルを自立させることができる。
【０００８】
更に、個々の衝立パネルは周囲枠に布を展張することで極めて軽量に製作されるので、例えば子供が接触するなどしても、接触の衝撃によって怪我を負う危険性が少ないといった利点がある。
【図面の簡単な説明】
【０００９】
【図１】本考案を適用した簡易衝立システムの構成を示す概略図である。
【図２】衝立パネルの構造を示す分解斜視図である。
【図３】衝立パネルの構造を示す断面図である。
【図４】衝立パネルのデザインの一例を示す斜視図である。
【図５】衝立パネルを放射状に連結した態様を示す斜視図である。
【図６】補助連結プレートの構成を示す斜視図である。
【考案を実施するための形態】
【００１０】
以下、添付図面を用いて本考案を適用した簡易衝立システムの実施形態を詳細に説明する。
【００１１】
図１は本考案を適用した簡易衝立システムの実施形態の一例を示す概略図である。このシステムは複数枚の衝立パネル１を磁力によって連結し、その連結角度を１８０度未満にすることによって、これら衝立パネル１を自立させるものである。
【００１２】
図２に示すように、各衝立パネル１は略矩形状の周囲枠２に対して布地３を進展すると共に、前記布地３の四辺を折り返して前記周囲枠２を包み、当該周囲枠２を離脱不能に収容したものである。図２に示す例では、前記衝立パネル１の縦横比を２：３に設定したが、当該縦横比は適宜設計変更して差支えない。前記周囲枠２を前記布地３で包むにあたっては、折り返した布地３の四辺を袋縫いにしてもよいし、接着剤や熱圧着を用いて固定してもよい。これにより、図３に示すように、前記周囲枠２は布地３によって覆われており、当該布地３は前記周囲枠２の内側で展張されている。
【００１３】
前記周囲枠２としては太さ５ｍｍ程度の鋼線が用いられている。図３に示す例では断面がまる形状の鋼線を前記周囲枠２として用いたが、断面は矩形状であっても差支えない。また、前記周囲枠２の材質としては、鋼線に限らず、合成樹脂であっても差支えない。前記周囲枠２の各辺には磁石４が接着されており、これら磁石４が発揮する磁力によって二枚の衝立パネル１の辺と辺を連結することができる。
【００１４】
前記周囲枠２の太さは任意に選定することが可能である。前記周囲枠２をより太いものとすることにより、前記衝立パネル１の剛性は高まるが、その分だけ当該衝立パネル１の重量は増加して、運搬や組み立てなどの取り扱いが面倒なものとなる。また、前記周囲枠２に進展する布地３の素材は適宜選定することが可能であるが、より厚い布地とすることにより、前記衝立パネル１の剛性を高めることができる。加えて、図４に示すように、前記周囲枠２に展張する布地３の色や柄を任意に選定することにより、各衝立パネル１の使用用途に応じたデザイン性を当該衝立パネル１に与えることが可能である。
【００１５】
二枚の衝立パネル１の辺同士を接近させると、前記周囲枠２には前記磁石４が接着されていることから、布地３を通して一方の衝立パネル１の磁石４と他方の衝立パネル１の磁石４との間に磁力が作用し、これら衝立パネル１を連結することが可能となる。このときの二枚の衝立パネル１の連結角度は自由に調整することが可能である。そして、連結角度が１８０度未満となれば、互いに連結した二枚の衝立パネル１を床面に自立させることができる。前記周囲枠２として前述した鋼線等の磁性体を用いている場合には、前記周囲枠２に磁石４を接着することによって当該周囲枠２が磁化するので、前記周囲枠２同士を直接的に磁力で連結することができる。また、個々の衝立パネルは、例えばスチール製の書棚等、磁性体で形成された他の物品にも磁力で吸着して、自立することが可能である。
【００１６】
複数枚の衝立パネル１を連結する際に、これら衝立パネル１を直列に連結する必要はなく、例えば図５に示すように、複数枚の衝立パネル１を放射状に連結することも可能である。このため、本考案の簡易衝立システムによれば、複数枚の衝立パネル１を自由に連結して室内の床面を区画することができる。
【００１７】
このように本考案の簡易衝立システムによれば、複数枚の衝立パネル１を磁力によって相互に連結して床面に自立させることができ、また、連結の際には直列や放射状といった連結の態様を自由に選定することができるので、室内空間を簡易的に区画する際に大変便利である。更に、各衝立パネル１は周囲枠２に対して布地３を展張して形成されているので、極めて軽量で持ち運びも容易であり、複数枚の衝立パネル１を連結して室内空間を区画する際に、その作業を容易に行うことが可能である。
【００１８】
更に、互いに連結した複数枚の衝立パネル１は、前記周囲枠２に対して作用する磁力のみをもって相互に連結しているので、簡単に分離することができ、撤去も容易である。加えて、各衝立は極めて軽量なので、例えば当該簡易衝立システムによって区画された室内で遊ぶ子供が誤って各衝立パネルに接触したとしても、当該子供が怪我を負う心配がない。
【００１９】
また更に、各衝立パネル１の大きさを小さく設定することにより、この簡易衝立システムは室内空間の床面だけではなく、テーブル上に自立させて、テーブル面を区画する用途にも使用可能である。
【００２０】
一方、本考案の簡易衝立システムは複数枚の衝立パネル１を簡単に連結して使用することができるといった利点がある反面、外力によって衝立パネル１の連結が容易に解除されてしまうため、室内に衝立パネル１を常設しておくには適さないといった課題が生じる。図6はそのための改良を示すものであり、二枚の衝立パネル１の連結部に対して補助連結プレート５を配置している。
【００２１】
前記補助連結プレート５は略二等辺三角形をなしており、その中心角は二枚の衝立パネル１の連結角度になっている。前記補助連結プレート５も前記衝立パネル１と同じ構造を有しており、略二等辺三角形に折り曲げた周囲枠２に対して布地３を展張している。前記補助連結プレート５の三か所の角部には貫通孔６が設けられる一方、前記衝立パネル１の角部付近にも前記補助連結プレート５に対応する貫通孔７が設けられている。そして、図６に示すように、前記衝立パネル１の貫通孔７と前記補助連結プレート５の貫通孔６に紐８を通して、当該紐８を結束することにより、二枚の衝立パネル１の連結部に前記補助連結プレート５を固定して、これら二枚の衝立パネル１の分離を防止すると共に、それらの連結角度を一定に維持することが可能となる。
【符号の説明】
【００２２】
１…衝立パネル、２…周囲枠、３…布地、４…磁石、５…補助連結プレート、６…貫通孔
【図１】
0003217395.tif 000003
【図２】
0003217395.tif 000004
【図３】
0003217395.tif 000005
【図４】
0003217395.tif 000006
【図５】
0003217395.tif 000007
【図６】
0003217395.tif 000008